(57)【要約】【課題】複数の装飾リングを組み合わせた構造体であって、新規な概念のもとに、例えば人の成長を祝うのに好適な装飾リング構造体の提供を目的とする。【解決手段】本発明の装飾リング構造体は、所定の内径を有する第１の装飾リングと、前記第１の装飾リングよりも内径の大きな第２の装飾リングとを有し、前記第１の装飾リングの外径は前記第２の装飾リングの内径よりも大きい寸法とされ、前記第１の装飾リングと前記第２の装飾リングを該装飾リングの中心軸方向に並べて段差を以って配置する段差配置手段を有することを特徴とする。【選択図】図１
2019098058.tif 000002
【特許請求の範囲】
【請求項１】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リングと前記第２の装飾リングを該装飾リングの中心軸方向に並べて段差を以って配置する段差配置手段を有することを特徴とする装飾リング構造体。
【請求項２】
請求項１記載の装飾リング構造体であって、前記第１の装飾リングの内径は、当該装飾リングの使用者の或る時期の体の一部の寸法を反映した寸法であり、前記第２の装飾リングの内径は、前記使用者が前記或る時期よりも後の年齢を重ねた際の前記使用者の同じ体の一部の寸法を反映した寸法であることを特徴とする装飾リング構造体。
【請求項３】
請求項1記載の装飾リング構造体であって、前記段差配置手段は、第１の係合部と第２の係合部からなり、前記第１の装飾リングの表面には前記第１の係合部が形成され、前記第２の装飾リングの裏面には前記第１の係合部に位置決めされて係合可能な前記第２の係合部が設けられることを特徴とする装飾リング構造体。
【請求項４】
請求項１記載の装飾リング構造体であって、各装飾リングを載置するための前記段差配置手段として前記装飾リング構造体の各装飾リングの中心軸方向に沿って径寸法が徐々に変化する搭載部を有し、該搭載部に前記第１及第２の装飾リングを当接させて各装飾リングを載置することを特徴とする装飾リング構造体。
【発明の詳細な説明】
【技術分野】
【０００１】
本発明は、複数の指輪などの装飾リングを組み合わせて構成される装飾リング構造体に関する。
【背景技術】
【０００２】
単独の装飾リングではなく、複数の指輪を組み合わせて、記念として飾ったりすることがあり、例えば、２つの指輪を組み合わせて、モチーフやデザインに統一感のあるペア装飾リングとしてセット販売することなども広く行われている。典型的な例としては、内外二重の装飾リングよりなる装飾リング一対の装飾リング群により、文字や模様を併せて表示されるように工夫したものがある（例えば、特許文献１参照。）。
【先行技術文献】
【特許文献】
【０００３】
【特許文献１】特開２００３−２９９５１１号公報
【発明の概要】
【発明が解決しようとする課題】
【０００４】
従来の装飾リングを組み合わせる構造体は、一例として異なる使用者が別々に使用し、使用状態とは別に装飾リング同士を重ね合わせたときに計算された模様や文字が表示されるようになっており、夫婦や恋人同士などの関係で使用する場合には、それぞれ個人としての使用形態と組み合わせたときの形態が一体感をもたらすようになり、人間関係の１つの象徴としても機能し得る。
【０００５】
しかしながら、複数の装飾リングを組み合わせた構造体として、同一の使用者が時間的に間をあけて複数の装飾リングを使用することがあり、そのような複数の装飾リングを組み合わせた装飾リング構造体は知られていない。
【０００６】
そこで、本発明は、複数の装飾リングを組み合わせた構造体であって、新規な概念のもとに、例えば人の成長を祝うのに好適な装飾リング構造体の提供を目的とする。
【課題を解決するための手段】
【０００７】
上述の技術的な課題を解決するため、本件発明者は、人の成長は特に乳幼児から未就学・未成年時期において顕著であることに着目し、鋭意研究の末、そのような成長を祝うのに好適な装飾リング構造体について想達するに至り、木材の年輪のような普遍的な概念と実体的な人の成長を反映した複数の装飾リングを重ね合わせることによる新規な着想の装飾リング構造体を提供するものである。すなわち、本発明の装飾リング構造体は、所定の内径を有する第１の装飾リングと、前記第１の装飾リングよりも内径の大きな第２の装飾リングとを有し、前記第１の装飾リングの外径は前記第２の装飾リングの内径よりも大きい寸法とされ、前記第１の装飾リングと前記第２の装飾リングを該装飾リングの中心軸方向に並べて段差を以って配置する段差配置手段を有することを特徴とする。また、本発明の装飾リング構造体においては、前記第１の装飾リングの内径は、当該装飾リングの使用者の或る時期の人体の一部の寸法を反映した寸法であり、前記第２の装飾リングの内径は、前記使用者が前記或る時期よりも後の年齢を重ねた際の前記使用者の同じ人体の一部の寸法を反映した寸法とすることができる。
【０００８】
また、本発明の装飾リング構造体は、前記第１の装飾リングと前記第２の装飾リングを該装飾リングの中心軸方向に並べて段差を以って配置する段差配置手段として、第１の係合部と第２の係合部を設けることができ、これらの第１の係合部と第２の係合部同士を係合させることで、第１の装飾リングに対する第２の装飾リングの相対的な位置を決めることができる。
【０００９】
本発明では、装飾リングは、指輪、ブレスレット、ベビーリングなどの種々の物品とすることができ、本発明では人体の一部とは、指や腕、足首などの装飾品を身に着ける位置を指す。リングとしては、円環状のものであれば種々の形状を有するものとすることができ、内径と外径を有しているが、輪の部分の断面としては、矩形の形状に限定されず、角丸の断面や、リングの中心線を含む平面で切断した断面が円や楕円などの形状であっても良い。また、リングとしては広い範囲の形状を含むものとされ、例えば全体的に捩じられた形状や、部分的に直線的な面や線を含む形状であったり、表面に装飾が施されているもの、リングの円環部の一部が切断されているものであっても良い。本発明の装飾リング構造体は、ペンダントの装飾部であるペンダントトップや鞄などに取り付けられるチャームなどにも使用され得る。
【００１０】
本発明の装飾リング構造体を載置するためには、前記段差配置手段として前記装飾リング構造体の各装飾リングの中心軸方向に沿って径寸法が徐々に変化する搭載部を利用することができ、前記複数の装飾リングを搭載部に当接しながら配置することで前記装飾リング構造体をその段差を保って載置することができる。
【図面の簡単な説明】
【００１１】
【図１】本発明の装飾リング構造体の第１の実施形態を示す斜視図である。
【図２】前記第１の実施形態の装飾リング構造体の断面図である。
【図３】本発明の装飾リング構造体の第１の実施形態を示す要部断面図である。
【図４】本発明の装飾リング構造体の第２の実施形態を示す要部断面図である。
【図５】本発明の装飾リング構造体の第３の実施形態を示す側面図である。
【図６】本発明の装飾リング構造体の第４の実施形態を示す側面図である。
【図７】本発明の装飾リング構造体の第５の実施形態を示す側面図である。
【図８】本発明の装飾リング構造体の第６の実施形態を示す側面図である。
【図９】本発明の装飾リング構造体の第７の実施形態を示す斜視図である。
【図１０】本発明の装飾リング構造体の第８の実施形態を示す斜視図である。
【図１１】本発明の装飾リング構造体の第９の実施形態を示す斜視図である。
【図１２】本発明の装飾リング構造体の第１０の実施形態を示す断面図である。
【図１３】本発明の装飾リング構造体の第１１の実施形態を示す斜視図である。
【図１４】本発明の装飾リング構造体の第１２の実施形態を示す斜視図である。
【発明を実施するための形態】
【００１２】
本発明の好適な実施形態を図面を参照しながら説明する。図１乃至図３は第１の実施形態の装飾リング構造体を示す。本実施形態の装飾リング構造体１０は、４段の装飾リング１２、１４、１６、１８を中心軸方向に重ねた構造を有しており、最も小さな装飾リング１２の上に、次に小さな装飾リング１４が載せられ、その上に２番目よりも少し大きな装飾リング１６が載せられ、一番上に最も大きな装飾リング１８が載せられた構造体とされている。各装飾リング１２，１４，１６，１８はそれぞれ内径と外径を有した円環状の金属材料であり、重ねられた装飾リングの間は上側の装飾リングの底面と下側の装飾リングの上面が密着するように載置されており、特に下側の装飾リングから上側の装飾リングに向かうに従ってそれぞれの内径は徐々に広がるように形成されていることから、装飾リング構造体１０の内側には、装飾リングの数に応じた段差が見えるように構成される。
【００１３】
このような構成において、第１の実施形態の装飾リング構造体は、上側の装飾リングと下側の装飾リングを該装飾リングの中心軸方向に並べて段差を以って配置する段差配置手段を有する。この複数の装飾リングを段差を以って配置する段差配置手段は、後述する実施形態で種々の構造を取るものとして説明されるが、本実施形態では、一例として永久磁石により段差配置手段が構成される。すなわち、段差配置手段は有形、無形を問わず、複数の装飾リングを段差を以って配置するための構造要素であり、例えば永久磁石により構成することもでき、後述するように搭載部や係合部材などを用いることもできる。この段差配置手段を用いることで、複数の装飾リング１２、１４、１６、１８はそれぞれ段差を以って隣の装飾リングに接して配設されることになる。
【００１４】
本実施形態の装飾リング構造体１０は、サイズの異なる装飾リングを重ねているが、一例として、小さい方の第１の装飾リングの内径は、当該装飾リングの使用者の或る時期の指の寸法を反映した寸法であり、サイズの異なる第２の装飾リングの内径は、前記使用者が前記或る時期よりも後の年齢を重ねた際の同じ使用者の同じ指の寸法を反映した寸法に設定される。一般に、赤ちゃん、幼少期から未就学児童などの年齢においては、指のサイズも年齢と共に大きくなり、同じ使用者であってもサイズが徐々に大きくなることが広く知られているものであり、本実施形態の装飾リング構造体１０では、その同じ本人の成長に即して、指のサイズの成長をそのまま年輪の如き段差部で表現することで、成長の証しである記念品としての価値を増大させることとしている。
【００１５】
図３は本実施形態の装飾リング構造体１０の模式的な部分断面図である。各サイズの装飾リング１２、１４，１６、１８においては、上側面の外周側が装飾リングを周回するようにＮ極となるように着磁されたＮ極着磁部１２ｎ、１４ｎ、１６ｎ、１８ｎを有し、下側面の内周側が装飾リングを周回するようにＳ極となるように着磁されたＳ極着磁部１２ｓ、１４ｓ，１６ｓ、１８ｓを有する。このように各装飾リングの上側と下側でＮＳを入れ替えて着磁することで、上下の装飾リングを磁力で密着させることができ、さらに内周側と外周側に分けて着磁することで、サイズの異なる装飾リングが同心円状に配置されることになり、全体的な装飾リング構造体１０の形状が段差を備えた年輪状の構造物となる。各装飾リング１２、１４、１６，１８に着磁する方法としては、各装飾リングに構成材料を鉄などの磁性材料で構成することもでき、また、Ｎ極とＳ極を逆にすることもでき、上側面の外周側と下側面の内周側に着磁可能な金属を埋め込むようにしても良い。また、上下の装飾リングが磁力で密着するように、着磁部分を外周側や内周側に寄せたり、中央部に集約したり逆に上面、底面に広げたりするように配置することもできる。着磁可能な金属を埋め込む場合には、必ずしも全周に亘って着磁可能材料を配する必要はなく、ドット状の複数の金属片を埋め込むような構造でも良く、あるいは薄膜の磁性材料をプレーティング、キャスティング、或いはコーティングするような構造であっても良い。
【００１６】
このような本実施形態の装飾リング構造体１０は、複数の装飾リング１２、１４、１６、１８を中心軸方向に並べて段差を以って配置する段差配置手段としてＮ極着磁部１２ｎ、１４ｎ、１６ｎ、１８ｎ及びＳ極着磁部１２ｓ、１４ｓ、１６ｓ、１８ｓを有していることから、形成された磁力を以って、年輪の如き段差部を有する装飾リング構造体１０が形成されることになる。特に、複数の装飾リング１２、１４、１６、１８は、同じ使用者の乳児、幼少期からの成長に合わせて、その装飾リングの内径は、例えば当該装飾リングの使用者の或る時期の指の寸法を反映した寸法とすることができ、乳児、幼少期の段階から年齢を重ねた段階までの各装飾リングを記念として残すことができ、人間の成長過程に即した極めて有意義な記念品となり得る。
【００１７】
第２の実施形態の装飾リング構造体２０を、図４を参照しながら説明する。図４に示すように、第２の実施形態の装飾リング構造体２０は、小さな内径の装飾リング２２、それよりも内径の大きな装飾リング２４、大きな内径の装飾リング２６が重ねられて構成されている。この大中小の装飾リング２２、２４、２６は、それぞれ使用者のある指、例えば人差し指の成長を反映したサイズの内径を有している。各装飾リング２２、２４、２６の底面２２ｂ、２４ｂ、２６ｂと上面２２ｔ、２４ｔ、２６ｔには、それぞれ装飾リングの中心軸側である内側が高く、径方向に傾斜して下がり、外周端部で低くなるように構成されている。このため、正しい向きで装飾リング２２、２４、２６を中心軸が概ね一致するように並べることで、重力も手伝って各装飾リング２２、２４、２６は整合するように配されることになり、装飾リング構造体２０は、年輪のような揃った状態で段差を以って形状を保持することができる。本実施形態では、中心軸方向に並べて段差を以って配置する段差配置手段は、傾斜した底面２２ｂ、２４ｂ、２６ｂと傾斜した上面２２ｔ、２４ｔ、２６ｔにより構成される。各装飾リング２２、２４、２６が整合して段差を以って並べられる際に、傾斜した上面２２ｔ、２４ｔの上を傾斜した底面２４ｂ、２６ｂが摺動しながら位置を変えることができ、最も釣り合う位置は各装飾リング２２、２４、２６が揃う位置であることから、最終的には年輪のような段差を呈して実施形態の装飾リング構造体２０は構成される。なお、第２の実施形態の装飾リング構造体は、
それぞれ装飾リングの中心軸側である内側が低く、径方向に傾斜して上がり、外周端部で高くなるように構成することもできる。
【００１８】
本実施形態では、傾斜した底面２２ｂ、２４ｂ、２６ｂと傾斜した上面２２ｔ、２４ｔ、２６ｔは、それぞれ水平面に対して所要の傾きを有する構造とされるが、必ずしも全てが同じ角度である必要はなく、装飾リングごとに異なる傾斜角度であっても良い。また、傾斜した底面や上面も円錐台の傾斜面とすることができるが、指数関数的に徐々に固向きが変化するような面であっても良く、必ずしも全面が傾斜するものある必要はなく、部分的に傾斜して全体として各装飾リング２２、２４、２６が揃うような構造であっても良い。
【００１９】
図５に示すように、第３の実施形態の装飾リング構造体３０は小さな装飾リング３２と大きな装飾リング３４とからなる。小さな装飾リング３２と大きな装飾リング３４は、使用者の例えば３歳のときの指サイズと６歳のときの指のサイズを反映したサイズを有する。小さな装飾リング３２は、上面３３に３つの小さな円柱状の突起部３６を有している。突起部３６が設けられている位置は、装飾リング３２の上面３３の上で、中心からの角度で１２０度ずつの３方向とされ、内周部と外周部の中間であり、各突起部３６は上方向に突出して設けられている。一方、大きな装飾リング３４の底面３５には、前記突起部３６と係合するように３つの係合溝３８が配設されている。各係合溝３８は、装飾リング３４の中心から径方向に延長されるように装飾リング３４の内周端から外周端に亘って形成され、係合溝３８の深さは突起部３６の突出する高さとほぼ同じである。各係合溝３８の位置は、装飾リング３４の底面３５の上で、中心からの角度で１２０度ずつ３方向とされ、前述の突起部３６が設けられている位置に対応する。
【００２０】
このような一方の装飾リング３２に突起部３６が形成され、他方の装飾リング３４に係合溝３８が形成される構造の第３の実施形態の装飾リング構造体３０は、突起部３６と係合溝３８の組み合わせが、中心軸方向に並べて段差を以って配置するための段差配置手段として機能する。従って、小さな装飾リング３２上に大きな装飾リング３４を載せた場合には、３つの突起部３６が３つの係合溝３８に係合し、両装飾リング３２，３４の位置も決められて、中心を覗きこんだ場合には、年輪のような段差を呈することができる。ここで係合溝３８の形状は、一例に過ぎず、複数の連続する係合孔のような形状でも良く、突起部３６と係合溝３８の形成する装飾リングを逆にすることもできる。また、突起部３６と係合溝３８の数が３つずつというのは一例であって、１つ以上であれば、装飾性や審美性を妨げない配慮はいるものの、特に限定されるものではなく、また、中心角で１２０度も一例であって、他の角度でも良い。突起部３６の形状も円柱形状に限らず、他の形状であっても良い。
【００２１】
図６は第４の実施形態の装飾リング構造体４０を示す側面図である。本実施形態の装飾リング構造体４０を構成する装飾リング４２、４４は一部が底面側に曲げられた構造を有しており、その曲げられた部分が位置決め部材として機能する。装飾リング４２、４４は、小さい方の装飾リング４２と大きい方の装飾リング４４であり、図６は装飾リング状の装飾リング本体４０の側面からの図面となっている。図６では、装飾リング４２、４４は、やや離間しており、装飾リング４４の装飾部４５近傍の一部が斜め下方に曲げられており、同じように装飾リング４２の装飾部４３近傍の一部も斜め下方に曲げられている。この曲げ加工によって、装飾リング４４の底面４４ｂは下側に張り出すような形状とされ、逆に装飾リング４２の上面４２ｔは下側に沈みこむような形状とされ、両者の張り出し量と沈み込み量は各装飾リング全体に対して同様の比率で構成される。従って装飾リング４４の底面４４ｂと装飾リング４２の上面４２ｔの形状から、装飾リング４２、４４はそれぞれ位置が決められて保持されることになり、装飾リング４４の底面４４ｂと装飾リング４２の上面４２ｔが中心軸方向に並べて段差を以って配置するための段差配置手段として機能する。
【００２２】
本実施形態の装飾リング構造体４０を構成する小さな装飾リング４２と大きな装飾リング４４は、使用者の例えば２歳のときの指サイズと３歳のときの人差し指のサイズを反映したサイズを有しており、装飾部４３、４５がそれぞれ円周上の段差配置手段の位置を示すように機能する。この構造によって、容易に年輪のような構成を作ることができ、乳児、幼少期の段階から年齢を重ねた段階までの各装飾リングを記念として残すことができることから、人間の成長過程に即した極めて有意義な記念品となり得る。なお、斜め下方に曲げられる場所は、装飾部４３近傍に限らず、他の場所であっても良い。また、斜め上方に曲げるようにすることもできる。
【００２３】
図７は第５の実施形態の装飾リング構造体５０を示す側面図である。装飾リング構造体５０を構成する装飾リング５２、５４、５６はそれぞれ傾斜した外周面５２ｓ、５４ｓ、５６ｓを有しており、このうち傾斜した外周面５２ｓ、５４ｓは、傾斜した内周面５４ｉ、５６ｉと当接して位置が決められる。傾斜した外周面５２ｓ、５４ｓと傾斜した内周面５４ｉ、５６ｉとが当接するのは、高さ方向に狭い範囲であり、位置決めに用いられない内周面の領域は中心軸方向と平行で傾斜していない面であっても良い。図４に示した第２の実施形態で、装飾リングの上面と底面の一部が段差配置手段として機能していたが、本実施形態では装飾リング５２，５４，５６の内周面と外周面の一部がそれぞれ段差配置手段として機能することになる。なお、本実施形態の装飾リング構造体５０を構成する装飾リング５２、５４、５６は、上述の実施形態と同様に、それぞれ装飾リングの使用者の或る年齢の指の寸法を反映した寸法を有する。
【００２４】
図８は、第６の実施形態の装飾リング構造体６０を示す側面図であり、各装飾リングとは別体に形成された保持部７０を有する。装飾リングは、小さい方から大きい方まで４つの装飾リング６２、６４、６６、６８からなり、保持部７０は中心軸方向に並べて段差を以って配置するための段差配置手段として機能する。４つの装飾リング６２、６４、６６、６８は、それぞれ装飾リングの使用者の或る時期の指の寸法を反映した寸法を有する。サイズが異なり、或るサイズより大きいサイズの装飾リングの内径は、年齢を重ねた際の同じ使用者の同じ指の寸法を反映した寸法に設定される。これらの装飾リング６２、６４、６６、６８は前述のような段差配置手段を伴ってはいないが、本実施形態では、保持部７０が各装飾リング６２、６４、６６、６８を中心が同軸となるように保持できる。詳しくは、保持部７０は略円筒形の部材であり、下側には、段差が形成された当接部７２が設けられている。この当接部７２の外周は各装飾リング６２、６４、６６、６８の内周に嵌合若しくは当接して、年輪を形成したような状態で４つの装飾リング６２、６４、６６、６８を保持することができる。段差が形成された当接部７２は一例として金属やプラスチックを成形したものとすることが可能であるが、径の少しずつ異なる複数の円筒の部材を中心軸方向に摺動可能に重ねた構造とし、４つの装飾リング６２、６４、６６、６８の内周部に適合する径の円筒の部材をそれぞれ当接させるような構造とすることもできる。
【００２５】
図９は第７の実施形態の装飾リング構造体８０を示す斜視図であり、各装飾リングとは別体に形成された保持部９０を有する。装飾リングは、小さい方から大きい方まで４つの装飾リング８２、８４、８６、８８からなり、保持部９０は中心軸方向に並べて段差を以って配置するための段差配置手段として機能する。４つの装飾リング８２、８４、８６、８８は、それぞれ装飾リングの使用者の或る時期の指の寸法を反映した寸法を有する。これらの装飾リングでは、サイズが異なり、或るサイズより大きいサイズの装飾リングの内径は、年齢を重ねた際の同じ使用者の同じ指の寸法を反映した寸法に設定される。ここで保持部９０は、比較的に柔軟で透明性を有する樹脂体であり、該保持部９０を４つの装飾リング８２、８４、８６、８８からなる段差のある状態で円錐台を逆さにしたような形状の内部空間に押し込み、４つの装飾リング８２、８４、８６、８８を固定することができる。この構造によっても、容易に年輪のような装飾リング構造体８０を作ることができ、乳児、幼少期の段階から年齢を重ねた段階までの各装飾リングを記念として残すことができることから、人間の成長過程に即した極めて有意義な記念品を得ることができる。なお、保持部９０は、透明でなくともよく、保持部９０で装飾リング８２、８４、８６、８８が段差を有するように位置を決めた後、取り外すことも可能である。
【００２６】
図１０は第８の実施形態の装飾リング構造体１００を示す斜視図であり、装飾リングは、小さい方から大きい方まで４つの装飾リング１０２、１０４、１０６、１０８からなり、中心軸方向に並べて段差を以って配置するための段差配置手段は、これらの装飾リング１０２、１０４、１０６、１０８に設けられた穴１０２ｈ、１０４ｈ、１０６ｈ、１０８ｈとそれらを貫通するピン１１０とからなる。これらの装飾リング１０２、１０４、１０６、１０８に設けられた穴１０２ｈ、１０４ｈ、１０６ｈ、１０８ｈとそれらを貫通するピン１１０によって、４つの装飾リング１０２、１０４、１０６、１０８を所定の中心軸方向に並べて段差を以って配置される位置に決めることができる。
【００２７】
穴１０２ｈ、１０４ｈ、１０６ｈ、１０８ｈは、各装飾リングの上面から底面に貫通するように形成されるが、一部は内周面や外周面の一部を貫くようにも形成できる。また、本実施形態では、穴を１つのピンで貫通するように説明するが、１つの装飾リングの円周上に複数、例えば、３つの穴をそれぞれ開けて、３つのピンを貫通させて段差配置手段を構成することも可能である。なお、装飾リング構造体１００を構成する装飾リング１０２、１０４、１０６は、上述の実施形態と同様に、それぞれ装飾リングの使用者の或る年齢の指の寸法を反映した寸法を有する。穴自体は各装飾リング自体に予め開けられていても良く、後からレーザーなどで開口するようにすることもできる。穴の形状は、ピンを貫通させる円筒形状で説明したが、やや長孔で複数形成することで、多様な保持形態での保持が可能となる。
【００２８】
図１１は第９の実施形態の装飾リング構造体１２０を示す斜視図であり、装飾リングは、小さい方から大きい方まで４つの装飾リング１２２、１２４、１２６、１２８からなり、中心軸方向に並べて段差を以って配置するための段差配置手段は、これらの装飾リング１２２、１２４、１２６、１２８を嵌合する透明樹脂プレート１３２、１３４、１３６、１３８からなる。各透明樹脂プレート１３２、１３４、１３６、１３８は、概ね矩形状で同じ形状を有しているが、中央部に装飾リングを嵌めこむための嵌合穴を有しており、これらの嵌合穴に各装飾リングを嵌めこんで保持するようになっている。各透明樹脂プレート１３２、１３４、１３６、１３８は、例えばアクリルなどの樹脂により形成されるが、他の装飾リングを保持することのできる樹脂材であれば他の材料でも良い。なお、装飾リング構造体１２０を構成する装飾リング１２２、１２４、１２６、１２８は、上述の実施形態と同様に、それぞれ装飾リングの使用者の或る年齢の指の寸法を反映した寸法を有する。
【００２９】
中心軸方向に並べて段差を以って配置するための段差配置手段は、本実施形態では、透明樹脂プレートとしたが、透明でなくともよく、また、樹脂プレートの代わりに、ガラス、木材、金属、石材、紙、厚紙、布、ゴム、スポンジ、発砲スチロールなどをプレートの材料とすることもでき、重ね合わせるプレートの材料を異ならすこともでき、樹脂等で形成したときは色を変えるようにしても良い。また、プレートに永久磁石などを取り付けることもでき、磁石での位置合わせも可能である。また、プレートは矩形のものに限定されず、他の形状であっても良い。
【００３０】
図１２は第１０の実施形態の装飾リング構造体１４０を示す断面図である。装飾リング構造体１４０は、小さいサイズから大きなサイズの装飾リングとして４つの装飾リング１４２、１４４、１４６、１４８を並べた構成を有しており、このサイズの違いから装飾リング構造体１４０の外周には、段差が生じている。この段差に係合するように、径寸法が徐々に変化する搭載部を構成する円盤プレート１５２と、３つの円筒部材１５４、１５６、１５８が配設されている。円筒部材１５４は装飾リング１４２の外周に嵌合する内周を有し、円筒部材１５６は装飾リング１４４の外周に嵌合する内周を有し、円筒部材１５８は装飾リング１４６の外周に嵌合する内周を有する。３つの円筒部材１５４、１５６、１５８の内周部が形成する段差は、装飾リング構造体１４０の外周部の段差に形状が合致しており、円盤プレート１５２と、３つの円筒部材１５４、１５６、１５８とからなる搭載部に搭載することで、装飾リング構造体１４０を重ねて保持することができる。なお、搭載部として円盤プレート１５２は設けない構造とすることも可能である。
【００３１】
図１３は、第１１の実施形態の装飾リング構造体１６０を示す斜視図である。装飾リング構造体１６０は、一対の装飾リング１６２と装飾リング１６４とからなり、中心穴を有する保持部材１７２、１７４に保持される。保持部材１７２、１７４はそれぞれ透明のプラスチック材からなる円盤状の部材であり、そのサイズはそれぞれ装飾リング１６２と装飾リング１６４の内周部に嵌合される大きさとなっている。保持部材１７２、１７４のそれぞれの高さは、装飾リング１６２、１６４と同程度の高さであり、従って、保持部材１７２、１７４を装飾リング１６２、１６４に嵌合した場合では、それぞれが１枚の円盤状の形状を呈することになる。保持部材１７２、１７４のそれぞれは、透明であるので、上から覗いた場合には、年輪のような段差を見ることができる。保持部材１７２、１７４の中心には、それぞれ穴が設けられており、図１３のような棒部材１７０を各孔に貫通されて、一対の装飾リング１６２と装飾リング１６４の位置を決めることができ、保持部材１７２、１７４を貫通した棒部材１７０に沿って装飾リング１６２、１６４を移動させ、これらを密着させれば、装飾リング１６２と装飾リング１６４が密着して段差を有する装飾リング構造体１６０を構成できる。
【００３２】
装飾リング１６２と装飾リング１６４が密着した後で、棒部材１７０を保持部材１７２、１７４から抜くこともでき、保持部材１７２、１７４を装飾リング１６２と装飾リング１６４から外すこともできる。この時、装飾リング１６２と装飾リング１６４の間の密着を継続させるために、図のように、シール部材１７６を装飾リング１６２と装飾リング１６４の間に配置することもできる。保持部材１７２、１７４は透明樹脂材として説明したが、取り外すこととすれば、必ずしも透明でなくともよく、樹脂に限定されず、木材や金属、厚紙などであっても良い。また、シール部材１７６は、例えば、円環状の両面テープなどで構成されるが、ジェルなどの部材であっても良く、ゴムなどの弾性部材などあっても良い。保持部材１７２、１７４は装飾リング１６２と装飾リング１６４とは異なる高さとすることもでき、中心軸をセットする機能があれば他の形状であっても良い。
【００３３】
図１４は、第１２の実施形態の装飾リング構造体１８０を示す斜視図である。一対の装飾リング１８２、１８４により装飾リング構造体１８０は構成されるが、それぞれの装飾リング１８２、１８４の上面には、３つのドットからなる目印部１８２ｄ、１８４ｄが刻印されている。これら目印部１８２ｄ、１８４ｄは、リングの中心から放射状に同心円となる位置に配されたドットである。従って、装飾リング１８２上に装飾リング１８４を重ねる場合に、装飾リング１８４の内周内で見えるドットを均等となるようにすれば、一対の装飾リング１８２、１８４の中心位置が揃うこととなり、段差の揃った形状での装飾リング構造体１８０を得ることができる。なお、ドットの数は、３つに限定されず、他の数であっても良い。また、目印部は刻印以外に、塗装やシールなどによっても構成できる。
【符号の説明】
【００３４】
１０、２０、３０、４０、５０、６０、８０、１００、１４０、１６０、１８０  装飾リング構造体
１２、１４、１６、１８、２２、２４、２６、３２、３４、４２、４４、５２、５４、５６、６２、６４、６６、６８、８２、８４、８６、８８、１０２、１０４、１０６、１０８、１２２、１２４、１２６、１２８、１４２、１４４、１４６、１４８、１６２、１６４、１８２、１８４  装飾リング
７０、９０  保持部
１１０  ピン
１３２、１３４、１３６、１３８  透明樹脂プレート
１５４、１５６、１５８  円筒部材
１７０  棒部材
１７２、１７４  保持部材
【図１】
2019098058.tif 000003
【図２】
2019098058.tif 000004
【図３】
2019098058.tif 000005
【図４】
2019098058.tif 000006
【図５】
2019098058.tif 000007
【図６】
2019098058.tif 000008
【図７】
2019098058.tif 000009
【図８】
2019098058.tif 000010
【図９】
2019098058.tif 000011
【図１０】
2019098058.tif 000012
【図１１】
2019098058.tif 000013
【図１２】
2019098058.tif 000014
【図１３】
2019098058.tif 000015
【図１４】
2019098058.tif 000016
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リングの内径は、当該装飾リングの使用者の或る時期の指の寸法を反映した寸法であり、前記第２の装飾リングの内径は、前記使用者が前記或る時期よりも後の年齢を重ねた際の前記使用者の同じ指の寸法を反映した寸法であり、
前記第１の装飾リングと前記第２の装飾リングを中心が同軸となり該装飾リングの中心軸方向に並べ前記第１の装飾リングの全内周に亘る段差を以って配置する段差配置手段を有することを特徴とする装飾リング構造体。
【請求項２】
請求項1記載の装飾リング構造体であって、前記段差配置手段は、第１の係合部と第２の係合部からなり、前記第１の装飾リングの表面には前記第１の係合部が形成され、前記第２の装飾リングの裏面には前記第１の係合部に当該装飾リングの径方向に位置決めされて係合可能な前記第２の係合部が設けられることを特徴とする装飾リング構造体。
【請求項３】
請求項１記載の装飾リング構造体であって、各装飾リングを中心が同軸となるように載置するための前記段差配置手段として前記装飾リング構造体の各装飾リングの中心軸方向に沿って径寸法が徐々に変化する搭載部を有することを特徴とする装飾リング構造体。
【請求項４】
請求項１記載の装飾リング構造体であって、前記段差配置手段は前記第１の装飾リングと前記第２の装飾リングを摺動させて前記第１の装飾リングに対する前記第２の装飾リングの相対的な位置決めをすることを特徴とする装飾リング構造体。
【手続補正２】
【補正対象書類名】明細書
【補正対象項目名】０００７
【補正方法】変更
【補正の内容】
【０００７】
上述の技術的な課題を解決するため、本件発明者は、人の成長は特に乳幼児から未就学・未成年時期において顕著であることに着目し、鋭意研究の末、そのような成長を祝うのに好適な装飾リング構造体について想達するに至り、木材の年輪のような普遍的な概念と実体的な人の成長を反映した複数の装飾リングを重ね合わせることによる新規な着想の装飾リング構造体を提供するものである。すなわち、本発明の装飾リング構造体は、所定の内径を有する第１の装飾リングと、前記第１の装飾リングよりも内径の大きな第２の装飾リングとを有し、前記第１の装飾リングの外径は前記第２の装飾リングの内径よりも大きい寸法とされ、前記第１の装飾リングの内径は、当該装飾リングの使用者の或る時期の指の寸法を反映した寸法であり、前記第２の装飾リングの内径は、前記使用者が前記或る時期よりも後の年齢を重ねた際の前記使用者の同じ指の一部の寸法を反映した寸法であり、前記第１の装飾リングと前記第２の装飾リングを中心が同軸となり該装飾リングの中心軸方向に並べ前記第１の装飾リングの全内周に亘る段差を以って配置する段差配置手段を有することを特徴とする。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リング及び前記第2の装飾リングの一方若しくは両方の全周に亘って若しくは対称的な複数個所に設けられ、これら装飾リングの中心軸からのずれを補って、前記第１の装飾リングと前記第２の装飾リングを中心が同軸となり該装飾リングの中心軸方向に並べて前記第１の装飾リングの全内周に亘る段差を以って配置する段差配置手段を有することを特徴とする装飾リング構造体。
【請求項２】
請求項1記載の装飾リング構造体であって、前記段差配置手段は、所定の極性に着磁された着磁部からなることを特徴とする装飾リング構造体。
【請求項３】
請求項１記載の装飾リング構造体であって、各装飾リングを中心が同軸となるように載置するための前記段差配置手段は、当接する傾斜面同士若しくは複数の係合溝とこれらにそれぞれ係合する突起部の組み合わせからなることを特徴とする装飾リング構造体。
【請求項４】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リングと前記第２の装飾リングを中心が同軸となり該装飾リングの中心軸方向に並べて前記第１の装飾リングの全内周に亘る段差を以って配置する段差配置手段を有し、
前記段差配置手段は、前記装飾リングとは別体で形成された保持部からなり、前記保持部には前記第１の装飾リングと前記第２の装飾リングが段差を以って保持されることを特徴とする装飾リング構造体。
【手続補正２】
【補正対象書類名】明細書
【補正対象項目名】０００７
【補正方法】変更
【補正の内容】
【０００７】
上述の技術的な課題を解決するため、本件発明者は、人の成長は特に乳幼児から未就学・未成年時期において顕著であることに着目し、鋭意研究の末、そのような成長を祝うのに好適な装飾リング構造体について想達するに至り、木材の年輪のような普遍的な概念と実体的な人の成長を反映した複数の装飾リングを重ね合わせることによる新規な着想の装飾リング構造体を提供するものである。すなわち、本発明の装飾リング構造体は、所定の内径を有する第１の装飾リングと、前記第１の装飾リングよりも内径の大きな第２の装飾リングとを有し、前記第１の装飾リングの外径は前記第２の装飾リングの内径よりも大きい寸法とされ、前記第１の装飾リング及び前記第2の装飾リングの一方若しくは両方の全周に亘って若しくは対称的な複数個所に設けられ、これら装飾リングの中心軸からのずれを補って、前記第１の装飾リングと前記第２の装飾リングを中心が同軸となり該装飾リングの中心軸方向に並べて前記第１の装飾リングの全内周に亘る段差を以って配置する段差配置手段を有することを特徴とする。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リング及び前記第２の装飾リングの一方若しくは両方の全周に亘って若しくは対称的な複数個所に設けられ、前記第１の装飾リングと前記第２の装飾リングを中心が同軸となり該装飾リングの中心軸方向に並べて前記第１の装飾リングの全内周に亘る段差を以って配置する段差配置手段を有することを特徴とする装飾リング構造体。
【請求項２】
請求項1記載の装飾リング構造体であって、前記段差配置手段は、所定の極性に着磁された着磁部からなることを特徴とする装飾リング構造体。
【請求項３】
請求項１記載の装飾リング構造体であって、各装飾リングを中心が同軸となるように載置するための前記段差配置手段は、当接する傾斜面同士若しくは複数の係合溝とこれらにそれぞれ係合する突起部の組み合わせからなることを特徴とする装飾リング構造体。
【請求項４】
所定の内径を有する第１の装飾リングと、前記第１の装飾リングよりも内径の大きな第２の装飾リングとを有し、
前記第１の装飾リングの外径は前記第２の装飾リングの内径よりも大きい寸法とされ、
前記第１の装飾リングと前記第２の装飾リングを中心が同軸となり該装飾リングの中心軸方向に並べて前記第１の装飾リングの全内周に亘る段差を以って配置する段差配置手段を有し、
前記段差配置手段は、前記装飾リングとは別体で形成された保持部からなり、前記保持部には前記第１の装飾リングと前記第２の装飾リングが段差を以って保持されることを特徴とする装飾リング構造体。
【手続補正２】
【補正対象書類名】明細書
【補正対象項目名】０００７
【補正方法】変更
【補正の内容】
【０００７】
上述の技術的な課題を解決するため、本件発明者は、人の成長は特に乳幼児から未就学・未成年時期において顕著であることに着目し、鋭意研究の末、そのような成長を祝うのに好適な装飾リング構造体について想達するに至り、木材の年輪のような普遍的な概念と実体的な人の成長を反映した複数の装飾リングを重ね合わせることによる新規な着想の装飾リング構造体を提供するものである。すなわち、本発明の装飾リング構造体は、所定の内径を有する第１の装飾リングと、前記第１の装飾リングよりも内径の大きな第２の装飾リングとを有し、前記第１の装飾リングの外径は前記第２の装飾リングの内径よりも大きい寸法とされ、前記第１の装飾リング及び前記第2の装飾リングの一方若しくは両方の全周に亘って若しくは対称的な複数個所に設けられ、前記第１の装飾リングと前記第２の装飾リングを中心が同軸となり該装飾リングの中心軸方向に並べて前記第１の装飾リングの全内周に亘る段差を以って配置する段差配置手段を有することを特徴とする。